(57)【要約】【課題】  従来、複数の通信速度が混在するＰＯＮシステムでは、ＯＮＵ側に高価なＣＬＫモジュールを実装する必要があった。このため、１台のＯＬＴに対して複数台のＯＮＵを使用するＰＯＮシステムの場合は大幅なコスト高になり、さらに複雑な回路のＣＬＫモジュールの使用による部品点数の増加に伴う製造歩留まりの低下や環境評価も悪化などの問題があった。【解決手段】  本発明のＰＯＮシステムは、高価で複雑な回路のＣＬＫモジュールを使用する代わりに、局側装置に第１の発振器のクロックと第２の発振器のクロックとを重畳した重畳クロック信号を第１の局側ＳＥＲＤＥＳから宅内装置に出力するクロック重畳部を設け、宅内装置に局側装置から送られてくる重畳クロック信号から第２の通信速度に応じたクロック信号を抽出するクロック抽出部を設けた。【選択図】図1
2010212971.tif 000002
【特許請求の範囲】
【請求項１】
局側装置と宅内装置との間で第１の通信速度および第２の通信速度の上り信号が混在するＰＯＮシステムにおいて、
前記局側装置は、
前記宅内装置との間で第１の通信速度で送受信する光信号と電気信号の相互変換と、前記宅内装置から第２の通信速度で受信する光信号の電気信号への変換とをそれぞれ行う局側光トランシーバと、
前記局側光トランシーバに入出力するシリアライズされた第１の通信速度の送受信信号とパラレル信号の相互変換と、前記局側光トランシーバで変換したシリアライズされた第２の通信速度の受信信号をパラレル信号に変換する第１の局側ＳＥＲＤＥＳと、
前記局側光トランシーバが出力するシリアライズされた第２の通信速度の電気信号をパラレル信号に変換する第２の局側ＳＥＲＤＥＳと、
前記第１の局側ＳＥＲＤＥＳが入出力するパラレル信号のデータを送受信処理する第１のデータ送受信処理部と、
前記第２の局側ＳＥＲＤＥＳが出力するパラレル信号のデータを受信処理する第２のデータ受信処理部と、
前記第１の局側ＳＥＲＤＥＳに第１の通信速度に応じたクロックを供給する第１の発振器と、
前記第２の局側ＳＥＲＤＥＳに第２の通信速度に応じたクロックを供給する第２の発振器と、
前記第１の発振器のクロックと前記第２の発振器のクロックとを重畳した重畳クロック信号を前記第１の局側ＳＥＲＤＥＳから前記宅内装置に出力するクロック重畳部と
を設け、
前記宅内装置は、
前記局側装置から第１の通信速度で受信する光信号の電気信号への変換と、前記局側装置へ第２の通信速度で送信する電気信号の光信号への変換とをそれぞれ行う宅内光トランシーバと、
前記宅内光トランシーバが出力するシリアライズされた第１の通信速度の受信信号をパラレル信号に変換する第１の宅内側ＳＥＲＤＥＳと、
前記局側装置に送信する第２の通信速度のパラレル信号をシリアライズされた光信号に変換する第２の宅内側ＳＥＲＤＥＳと、
前記第１の宅内側ＳＥＲＤＥＳが出力するパラレル信号のデータを受信処理する第１のデータ受信処理部と、
前記第２の宅内側ＳＥＲＤＥＳに入力するパラレル信号のデータを送信処理する第２のデータ送信処理部と、
前記局側装置から送られてくる重畳クロック信号から第２の通信速度に応じたクロック信号を抽出して前記第２の宅内側ＳＥＲＤＥＳに出力するクロック抽出部と
を設けた
ことを特徴とするＰＯＮシステム。
【請求項２】
請求項１に記載のＰＯＮシステムにおいて、
前記クロック重畳部は、前記第１のデータ送受信処理部に設けられたことを特徴とするＰＯＮシステム。
【請求項３】
請求項１に記載のＰＯＮシステムにおいて、
前記クロック重畳部は、前記第１の局側ＳＥＲＤＥＳと前記第１のデータ送受信処理部との間に設けられたことを特徴とするＰＯＮシステム。
【請求項４】
請求項１に記載のＰＯＮシステムにおいて、
前記クロック重畳部は、前記第１の局側ＳＥＲＤＥＳ内に設けられたことを特徴とするＰＯＮシステム。
【請求項５】
請求項１に記載のＰＯＮシステムにおいて、
前記クロック抽出部は、前記第１のデータ受信処理部と前記第２のデータ送信処理部との間に設けられたことを特徴とするＰＯＮシステム。
【請求項６】
請求項１に記載のＰＯＮシステムにおいて、
前記クロック抽出部は、前記第１の宅内側ＳＥＲＤＥＳと前記第２のデータ送信処理部との間に設けられたことを特徴とするＰＯＮシステム。
【請求項７】
請求項１に記載のＰＯＮシステムにおいて、
前記クロック抽出部は、前記第１の宅内側ＳＥＲＤＥＳ内に設けられたことを特徴とするＰＯＮシステム。
【請求項８】
局側装置と宅内装置との間で第１の通信速度と第２の通信速度との上り信号が混在するＰＯＮシステムの局側装置において、
前記宅内装置との間で第１の通信速度で送受信する光信号と電気信号の相互変換と、前記宅内装置から第２の通信速度で受信する光信号の電気信号への変換とをそれぞれ行う局側光トランシーバと、
前記局側光トランシーバに入出力するシリアライズされた第１の通信速度の送受信信号とパラレル信号の相互変換と、前記局側光トランシーバで変換したシリアライズされた第２の通信速度の受信信号をパラレル信号に変換する第１の局側ＳＥＲＤＥＳと、
前記局側光トランシーバが出力するシリアライズされた第２の通信速度の電気信号をパラレル信号に変換する第２の局側ＳＥＲＤＥＳと、
前記第１の局側ＳＥＲＤＥＳが入出力するパラレル信号のデータを送受信処理する第１のデータ送受信処理部と、
前記第２の局側ＳＥＲＤＥＳが出力するパラレル信号のデータを受信処理する第２のデータ受信処理部と、
前記第１の局側ＳＥＲＤＥＳに第１の通信速度に応じたクロックを供給する第１の発振器と、
前記第２の局側ＳＥＲＤＥＳに第２の通信速度に応じたクロックを供給する第２の発振器と、
前記第１の発振器のクロックと前記第２の発振器のクロックとを重畳した重畳クロック信号を前記第１の局側ＳＥＲＤＥＳから前記宅内装置に出力するクロック重畳部と
を設けたことを特徴とするＰＯＮシステムの局側装置。
【請求項９】
局側装置と宅内装置との間で第１の通信速度と第２の通信速度との上り信号が混在するＰＯＮシステムの宅内装置において、
前記局側装置から第１の通信速度で受信する光信号の電気信号への変換と、前記局側装置へ第２の通信速度で送信する電気信号の光信号への変換とをそれぞれ行う宅内光トランシーバと、
前記宅内光トランシーバが出力するシリアライズされた第１の通信速度の受信信号をパラレル信号に変換する第１の宅内側ＳＥＲＤＥＳと、
前記局側装置に送信する第２の通信速度のパラレル信号をシリアライズされた光信号に変換する第２の宅内側ＳＥＲＤＥＳと、
前記第１の宅内側ＳＥＲＤＥＳが出力するパラレル信号のデータを受信処理する第１のデータ受信処理部と、
前記第２の宅内側ＳＥＲＤＥＳに入力するパラレル信号のデータを送信処理する第２のデータ送信処理部と、
前記局側装置から送られてくる重畳クロック信号から第２の通信速度に応じたクロック信号を抽出して前記第２の宅内側ＳＥＲＤＥＳに出力するクロック抽出部と
を設けたことを特徴とするＰＯＮシステムの宅内装置。
【発明の詳細な説明】
【技術分野】
【０００１】
本発明は、複数の通信速度を有するＰＯＮ（Ｐａｓｓｉｖｅ  Ｏｐｔｉｃａｌ  Ｎｅｔｗｏｒｋ）システムのクロック制御技術に関する。
【背景技術】
【０００２】
近年、光ファイバを用いたブロードバンドアクセスサービスが広く普及している。このような通信システムは、局側装置と宅内装置との間を光ファイバで接続して通信するもので、局側にはＯＬＴ（光回線局側終端装置）が配置され、宅内側にはＯＮＵ（光回線宅内側装置）が配置される。ＯＬＴとＯＮＵの接続方式には、ＯＬＴとＯＮＵとの間を１対１で接続するシングルスター方式と、ＯＬＴとＯＮＵとの間を１対ｎで接続するダブルスター方式とがある。ＰＯＮシステムは１対ｎで接続するダブルスター方式を用いるシステムである（例えば、特許文献１参照）
また、ＰＯＮシステムは、ＯＬＴとＯＮＵとの間をＳＴＭ方式（同期方式）で通信するＳＴＭ−ＰＯＮシステムと、ＡＴＭ方式（非同期方式）で通信するＢ−ＰＯＮシステムやＡ−ＰＯＮシステムと、さらにＥｔｈｅｒｎｅｔ（登録商標）方式で通信するＥＰＯＮシステムやＧ−ＥＰＯＮシステムに大別される。最近では、１ＧｂｐｓのＥＰＯＮシステムから１０Ｇｂｐｓの超高速で通信する１０Ｇ−ＥＰＯＮシステムも実用化されている。
【０００３】
例えば図９に示すように、異なる複数の通信速度（１Ｇｂｐｓと１０Ｇｂｐｓ）が混在するＥＰＯＮシステム３００は、ＯＬＴ−Ａから光カプラ３０２を介して各ＯＮＵ側へ送信される下り方向の通信速度は１０Ｇｂｐｓであるが、各ＯＮＵ側からＯＬＴ−Ａへの上り方向の通信速度は１０Ｇｂｐｓと１Ｇｂｐｓとが混在している。図９において、ＯＮＵ−Ａ，ＯＮＵ−Ｂ，・・・，ＯＮＵ−Ｙ，ＯＮＵ−Ｚまでの各ＯＮＵの下り方向の通信速度は全て１０Ｇｂｐｓである。ところが、図９に描かれたＯＮＵの中で、ＯＮＵ−ＡとＯＮＵ−Ｚの上り方向の通信速度は１０Ｇｂｐｓで、ＯＮＵ−ＢとＯＮＵ−Ｙの上り方向の通信速度は１Ｇｂｐｓである。尚、ＯＮＵ−Ａの１０ＧのフレームＡと、ＯＮＵ−Ｂの１ＧのフレームＢと、ＯＮＵ−Ｙの１ＧのフレームＣと、ＯＮＵ−Ｚの１０ＧのフレームＤとは、時分割多重でＯＬＴ−Ａ側に送られる。同様に、ＯＬＴ−ＡからＯＮＵ−Ａに送信される１０ＧのフレームＥと、ＯＮＵ−Ｂの１０ＧのフレームＦと、ＯＮＵ−Ｙの１０ＧのフレームＧと、ＯＮＵ−Ｚの１０ＧのフレームＨとは、時分割多重で各ＯＮＵ側に送られるようになっている。
【０００４】
一方、通常のＥＰＯＮシステムでは、ＯＮＵはｌｏｏｐ−ｔｉｍｉｎｇと呼ばれる機能を実装しなければならない規格になっている。このｌｏｏｐ−ｔｉｍｉｎｇ機能とは、ＯＮＵが上り信号を送信する際に、下り信号から抽出したクロック（ＣＬＫ）信号を元にして上り信号を生成し、送信する機能である。このｌｏｏｐ−ｔｉｍｉｎｇの機能をＯＮＵが実装することにより、ＯＬＴからＯＮＵへの通信、或いはＯＮＵからＯＬＴへの通信の全てが同一のクロック信号源を使用することができ、ＥＰＯＮシステム全体で使用するクロックの周波数同期を確立することができる。特に、下り信号のＴＤＭ（時分割多重）方式や上り信号のＴＤＭＡ（時分割多重アクセス）方式を用いるＥＰＯＮシステムでは、ＥＰＯＮシステム全体でクロックの周波数同期を確立することは非常に重要である。
【０００５】
図１０は、図９のＥＰＯＮシステム３００のＯＬＴ−Ａの構成を示すブロック図である。図１０において、ＯＬＴ３０１は図９のＯＬＴ−Ａに対応し、上位網との間でデータを送受信するデータ処理部３５１と、ＯＮＵ側との間で送受信する１０Ｇｂｐｓの上り信号と下り信号のデータ変換を行う１０ＧＳＥＲＤＥＳ３５２と、ＯＮＵとの間で送受信する光信号と電気信号の変換（Ｏ／Ｅ変換およびＥ／Ｏ変換）および１０Ｇデータと１Ｇデータの分離を行う光トランシーバ３５３と、光トランシーバ３５３が分離した１Ｇｂｐｓの上り信号のシリアルデータをパラレルデータ（例えば１６ビット幅）に変換する１ＧＳＥＲＤＥＳ３５４と、１０ＧＳＥＲＤＥＳ３５２とデータ処理部３５１とに１０Ｇのクロック信号を供給する１０Ｇ用発振器３５５と、１ＧＳＥＲＤＥＳ３５４とデータ処理部３５１とに１Ｇのクロック信号を供給する１Ｇ用発振器３５６とで構成される。また、データ処理部３５１は、１０Ｇｂｐｓの上り信号と下り信号のデータを処理する１０Ｇ送受信データ処理部３５７と、１Ｇｂｐｓの上り信号のデータを処理する１Ｇ受信データ処理部３５８とを有する。そして、上位網からＯＮＵ側に送信する１０Ｇ送信データは、データ処理部３５１の１０Ｇ送受信データ処理部３５７で１０Ｇ用発振器３５５のクロック信号を用いてパラレルの送信データ３５９が作成され、１０ＧＳＥＲＤＥＳ３５２に出力される。尚、この時、パラレルの送信データ３５９には１０Ｇ用発振器３５５のクロック信号に同期する並走クロック信号３６０も１０ＧＳＥＲＤＥＳ３５２に出力される。そして、１０ＧＳＥＲＤＥＳ３５２でシリアルの送信データに変換され、光トランシーバ３５３で光信号に変調されてＯＮＵ側に送信される。
【０００６】
逆に、ＯＮＵ側から送られてきた光信号は、光トランシーバ３５３で１０Ｇデータと１Ｇデータの分離が行われ、１０ＧＳＥＲＤＥＳ３５２と１ＧＳＥＲＤＥＳ３５４とにそれぞれ出力される。１０ＧＳＥＲＤＥＳ３５２は、光トランシーバ３５３から受け取ったシリアルの１０Ｇデータをパラレルの受信データ３６１に変換してデータ処理部３５１の１０Ｇ送受信データ処理部３５７に出力する。尚、この時、受信データ３６１には１０Ｇ用発振器３５５のクロック信号に同期する並走クロック信号３６２も１０Ｇ送受信データ処理部３５７に出力される。そして、１０Ｇ送受信データ処理部３５７で１０Ｇ用発振器３５５のクロック信号を用いて１０Ｇ受信データを作成し、上位網側に出力する。
【０００７】
一方、１ＧＳＥＲＤＥＳ３５４は、光トランシーバ３５３から受け取ったシリアルの１Ｇデータをパラレルの受信データ３６３に変換してデータ処理部３５１の１Ｇ受信データ処理部３５８に出力する。尚、この時、受信データ３６３には１Ｇ用発振器３５６のクロック信号に同期する並走クロック信号３６４も１Ｇ受信データ処理部３５８に出力される。そして、１Ｇ受信データ処理部３５８で１Ｇ用発振器３５６のクロック信号を用いて１Ｇ受信データを作成し、上位網側に出力する。
【０００８】
次に、図９のＥＰＯＮシステム３００のＯＮＵ−ＢおよびＯＮＵ−Ｙの構成について図１１を用いて説明する。尚、図１１に示したＯＮＵ３１０は、ＯＮＵ−ＢおよびＯＮＵ−Ｙに対応するＯＮＵで、１Ｇと１０Ｇが混在するＯＮＵである。図１１において、ＯＮＵ３１０は、端末側との間でデータを送受信するデータ処理部３７１と、ＯＬＴ３０１から受信する１０Ｇｂｐｓの下り信号のデータ変換を行う１０ＧＳＥＲＤＥＳ３７２と、ＯＬＴ３０１との間で送受信する光信号と電気信号の変換および１０Ｇデータの受信データと１Ｇデータの送信データとを周波数多重する光トランシーバ３７３と、ＯＬＴ３０１側に１Ｇデータを送信する１ＧＳＥＲＤＥＳ３７４と、１０Ｇの受信クロックから１Ｇの送信クロックを作成するＣＬＫモジュール３７５とで構成される。
【０００９】
そして、端末側からＯＬＴ３０１側に送信する１Ｇ送信データは、データ処理部３７１の１Ｇ送信データ処理部３７７でＣＬＫモジュール３７５で生成するクロック信号を用いてパラレルの送信データ３７８が作成され、１ＧＳＥＲＤＥＳ３７４に出力される。尚、この時、パラレルの送信データ３７８にはＣＬＫモジュール３７５で生成したクロック信号が並走クロック信号３７９として１ＧＳＥＲＤＥＳ３７４に出力される。そして、１ＧＳＥＲＤＥＳ３７４でシリアルの１Ｇデータに変換され、光トランシーバ３７３で光信号に変調されてＯＬＴ３０１側に送信される。
【００１０】
逆に、ＯＬＴ３０１側から送られてきた光信号は、光トランシーバ３７３で１０Ｇデータのシリアルの電気信号に変換され、１０ＧＳＥＲＤＥＳ３７２に出力される。１０ＧＳＥＲＤＥＳ３７２は、光トランシーバ３７３から受け取ったシリアルの１０Ｇデータをパラレルの受信データ３８０に変換してデータ処理部３７１の１０Ｇ受信データ処理部３７６に出力する。尚、この時、１０ＧＳＥＲＤＥＳ３７２が１０Ｇデータから分離した１０Ｇのクロック信号が受信データ３８０の並走クロック信号３８１として１０Ｇ受信データ処理部３７６に出力される。そして、１０Ｇ受信データ処理部３７６内でループしてＣＬＫモジュール３７５の参照クロックとして出力する。ＣＬＫモジュール３７５は、１０Ｇの並走クロック信号３８１を基にして１Ｇ送信用のクロック信号を生成する。
【００１１】
このようにして、従来の１Ｇと１０Ｇが混在するＰＯＮシステム３００は、ｌｏｏｐ−ｔｉｍｉｎｇの機能を実現し、ＯＬＴ３０１からＯＮＵ３１０に１０Ｇｂｐｓの下り信号を送信し、ＯＮＵ３１０からＯＬＴ３０１に１Ｇｂｐｓの上り信号を送信する。尚、図９において、上り信号と下り信号が共に１０ＧｂｐｓのＯＮＵ−ＡおよびＯＮＵ−Ｚについては、ＯＮＵ内で１０Ｇの受信クロックをそのまま１０Ｇの送信クロックとして用いるので、ＣＬＫモジュール３７５は特に必要ではない。
【先行技術文献】
【特許文献】
【００１２】
【特許文献１】特開２００３−０６９５９１号公報
【発明の概要】
【発明が解決しようとする課題】
【００１３】
このように、１ＧｂｐｓのＥｔｈｅｒｎｅｔと１０ＧｂｐｓのＥｔｈｅｒｎｅｔとが混在するＰＯＮシステム３００では、ＯＮＵ３１０側で下り信号の１０Ｇｂｐｓのクロックから上り信号の１Ｇｂｐｓのクロックを生成するｌｏｏｐ−ｔｉｍｉｎｇの機能を実装することは難しく、ＣＬＫモジュール３７５が必要であった。ところが、ＣＬＫモジュール３７５には以下の問題がある。規格上の１０ＧｂｐｓのＥｔｈｅｒｎｅｔの光回線上の物理的なビットレートは１０．３１２５Ｇｂｐｓで、１ＧｂｐｓのＥｔｈｅｒｎｅｔの物理的なビットレートは１．２５Ｇｂｐｓなので、ｌｏｏｐ−ｔｉｍｉｎｇ機能に対応するには、ＯＮＵが上り信号を送信する際に、下り信号（１０．３１２５Ｇｂｐｓ）のクロック信号を元にして上り信号（１．２５Ｇｂｐｓ）のクロック信号を生成しなければならない。ところが、１０．３１２５Ｇｂｐｓと１．２５Ｇｂｐｓは整数倍の関係になっておらず、１０．３１２５ＧＨｚのクロック信号から１．２５ＧＨｚのクロック信号を生成するためには特殊な技術を用いた複雑な回路（ＣＬＫモジュール３７５）で行う必要があった。このため、非常に高価なＣＬＫモジュール３７５をＯＮＵ３１０に実装しなけらばならず、システムや装置の価格が高くなってしまうという問題があった。特に、１台のＯＬＴに対して数十台にも及ぶ複数台のＯＮＵを使用するＰＯＮシステムの場合は大幅なコストアップになり、さらに複雑な回路のＣＬＫモジュール３７５を使用するので部品点数も増加し、製造歩留まりの低下や環境評価も悪くなるという問題もあった。
【００１４】
本発明の目的は、高価なＣＬＫモジュールを使用することなく、下り信号のクロックから速度の異なる上り信号のクロックを生成することができるＰＯＮシステムおよび局側装置並びに宅内装置を提供することである。
【課題を解決するための手段】
【００１５】
本発明のＰＯＮシステムは、局側装置と宅内装置との間で第１の通信速度および第２の通信速度の上り信号が混在するＰＯＮシステムにおいて、前記局側装置は、前記宅内装置との間で第１の通信速度で送受信する光信号と電気信号の相互変換と、前記宅内装置から第２の通信速度で受信する光信号の電気信号への変換とをそれぞれ行う局側光トランシーバと、前記局側光トランシーバに入出力するシリアライズされた第１の通信速度の送受信信号とパラレル信号の相互変換と、前記局側光トランシーバで変換したシリアライズされた第２の通信速度の受信信号をパラレル信号に変換する第１の局側ＳＥＲＤＥＳと、前記局側光トランシーバが出力するシリアライズされた第２の通信速度の電気信号をパラレル信号に変換する第２の局側ＳＥＲＤＥＳと、前記第１の局側ＳＥＲＤＥＳが入出力するパラレル信号のデータを送受信処理する第１のデータ送受信処理部と、前記第２の局側ＳＥＲＤＥＳが出力するパラレル信号のデータを受信処理する第２のデータ受信処理部と、前記第１の局側ＳＥＲＤＥＳに第１の通信速度に応じたクロックを供給する第１の発振器と、前記第２の局側ＳＥＲＤＥＳに第２の通信速度に応じたクロックを供給する第２の発振器と、前記第１の発振器のクロックと前記第２の発振器のクロックとを重畳した重畳クロック信号を前記第１の局側ＳＥＲＤＥＳから前記宅内装置に出力するクロック重畳部とを設け、前記宅内装置は、前記局側装置から第１の通信速度で受信する光信号の電気信号への変換と、前記局側装置へ第２の通信速度で送信する電気信号の光信号への変換とをそれぞれ行う宅内光トランシーバと、前記宅内光トランシーバが出力するシリアライズされた第１の通信速度の受信信号をパラレル信号に変換する第１の宅内側ＳＥＲＤＥＳと、前記局側装置に送信する第２の通信速度のパラレル信号をシリアライズされた光信号に変換する第２の宅内側ＳＥＲＤＥＳと、前記第１の宅内側ＳＥＲＤＥＳが出力するパラレル信号のデータを受信処理する第１のデータ受信処理部と、前記第２の宅内側ＳＥＲＤＥＳに入力するパラレル信号のデータを送信処理する第２のデータ送信処理部と、前記局側装置から送られてくる重畳クロック信号から第２の通信速度に応じたクロック信号を抽出して前記第２の宅内側ＳＥＲＤＥＳに出力するクロック抽出部とを設けたことを特徴とする。
【００１６】
また、より好ましくは、前記クロック重畳部は、前記第１のデータ送受信処理部に設けられたことを特徴とする。
【００１７】
また、より好ましくは、前記クロック重畳部は、前記第１の局側ＳＥＲＤＥＳと前記第１のデータ送受信処理部との間に設けられたことを特徴とする。
【００１８】
また、より好ましくは、前記クロック重畳部は、前記第１の局側ＳＥＲＤＥＳ内に設けられたことを特徴とする。
【００１９】
また、より好ましくは、前記クロック抽出部は、前記第１のデータ受信処理部と前記第２のデータ送信処理部との間に設けられたことを特徴とする。
【００２０】
また、より好ましくは、前記クロック抽出部は、前記第１の宅内側ＳＥＲＤＥＳと前記第２のデータ送信処理部との間に設けられたことを特徴とする。
【００２１】
また、より好ましくは、前記クロック抽出部は、前記第１の宅内側ＳＥＲＤＥＳ内に設けられたことを特徴とする。
【００２２】
本発明のＰＯＮシステムの局側装置は、局側装置と宅内装置との間で第１の通信速度と第２の通信速度との上り信号が混在するＰＯＮシステムの局側装置において、前記宅内装置との間で第１の通信速度で送受信する光信号と電気信号の相互変換と、前記宅内装置から第２の通信速度で受信する光信号の電気信号への変換とをそれぞれ行う局側光トランシーバと、前記局側光トランシーバに入出力するシリアライズされた第１の通信速度の送受信信号とパラレル信号の相互変換と、前記局側光トランシーバで変換したシリアライズされた第２の通信速度の受信信号をパラレル信号に変換する第１の局側ＳＥＲＤＥＳと、前記局側光トランシーバが出力するシリアライズされた第２の通信速度の電気信号をパラレル信号に変換する第２の局側ＳＥＲＤＥＳと、前記第１の局側ＳＥＲＤＥＳが入出力するパラレル信号のデータを送受信処理する第１のデータ送受信処理部と、前記第２の局側ＳＥＲＤＥＳが出力するパラレル信号のデータを受信処理する第２のデータ受信処理部と、前記第１の局側ＳＥＲＤＥＳに第１の通信速度に応じたクロックを供給する第１の発振器と、前記第２の局側ＳＥＲＤＥＳに第２の通信速度に応じたクロックを供給する第２の発振器と、前記第１の発振器のクロックと前記第２の発振器のクロックとを重畳した重畳クロック信号を前記第１の局側ＳＥＲＤＥＳから前記宅内装置に出力するクロック重畳部とを設けたことを特徴とする。
【００２３】
本発明のＰＯＮシステムの宅内装置は、局側装置と宅内装置との間で第１の通信速度と第２の通信速度との上り信号が混在するＰＯＮシステムの宅内装置において、前記局側装置から第１の通信速度で受信する光信号の電気信号への変換と、前記局側装置へ第２の通信速度で送信する電気信号の光信号への変換とをそれぞれ行う宅内光トランシーバと、前記宅内光トランシーバが出力するシリアライズされた第１の通信速度の受信信号をパラレル信号に変換する第１の宅内側ＳＥＲＤＥＳと、前記局側装置に送信する第２の通信速度のパラレル信号をシリアライズされた光信号に変換する第２の宅内側ＳＥＲＤＥＳと、前記第１の宅内側ＳＥＲＤＥＳが出力するパラレル信号のデータを受信処理する第１のデータ受信処理部と、前記第２の宅内側ＳＥＲＤＥＳに入力するパラレル信号のデータを送信処理する第２のデータ送信処理部と、前記局側装置から送られてくる重畳クロック信号から第２の通信速度に応じたクロック信号を抽出して前記第２の宅内側ＳＥＲＤＥＳに出力するクロック抽出部とを設けたことを特徴とする。
【発明の効果】
【００２４】
本発明に係るＰＯＮシステムおよび局側装置並びに宅内装置は、高価なＣＬＫモジュールを使用することなく、下り信号のクロックから速度の異なる上り信号のクロックを生成することができる。
【図面の簡単な説明】
【００２５】
【図１】第１の実施形態に係るＯＬＴ１０１の構成を示すブロック図である。
【図２】ＣＬＫ重畳部１５９の一例を示す説明図である。
【図３】第１の実施形態に係るＯＮＵ１１０の構成を示すブロック図である。
【図４】ＣＬＫ抽出部１７８の一例を示す説明図である。
【図５】第２の実施形態に係るＯＬＴ１０１ａの構成を示すブロック図である。
【図６】第３の実施形態に係るＯＬＴ１０１ｂの構成を示すブロック図である。
【図７】第４の実施形態に係るＯＮＵ１１０ａの構成を示すブロック図である。
【図８】第５の実施形態に係るＯＮＵ１１０ｂの構成を示すブロック図である。
【図９】一般的なＰＯＮシステム３００を示すブロック図である。
【図１０】従来のＯＬＴ３０１の構成を示すブロック図である。
【図１１】従来のＯＮＵ３１０の構成を示すブロック図である。
【発明を実施するための形態】
【００２６】
本発明に係るＰＯＮシステムおよび局側装置並びに宅内装置の実施形態について説明する。尚、本実施形態は、従来の技術で説明した図１０のＯＬＴ３０１および図１１のＯＮＵ３１０に対応させて説明する。また、本実施形態でのＰＯＮシステムの構成は、従来の技術で説明したＰＯＮシステム３００と同じである。
【００２７】
（第１の実施形態）
図１は、本実施形態における図９のＥＰＯＮシステム３００のＯＬＴ−Ａの構成を示すブロック図である。図１において、ＯＬＴ１０１は図９のＯＬＴ−Ａに対応する。尚、図１において、図１０と同符号のものは同じものを示す。
【００２８】
図１において、上位網との間でデータを送受信するデータ処理部１５１と、ＯＮＵ側との間で送受信する１０Ｇｂｐｓの上り信号と下り信号のデータ変換を行う１０ＧＳＥＲＤＥＳ３５２と、ＯＮＵとの間で送受信する光信号と電気信号の変換（Ｏ／Ｅ変換およびＥ／Ｏ変換）および１０Ｇデータと１Ｇデータの分離を行う光トランシーバ３５３と、光トランシーバ３５３が分離した１Ｇｂｐｓの上り信号のシリアルデータをパラレルデータ（例えば１６ビット幅）に変換する１ＧＳＥＲＤＥＳ３５４と、１０ＧＳＥＲＤＥＳ３５２とデータ処理部１５１とに１０Ｇのクロック信号を供給する１０Ｇ用発振器３５５と、１ＧＳＥＲＤＥＳ３５４とデータ処理部１５１とに１Ｇのクロック信号を供給する１Ｇ用発振器３５６とで構成される。
【００２９】
また、データ処理部１５１は、１０Ｇｂｐｓの上り信号と下り信号のデータを処理する１０Ｇ送受信データ処理部１５７と、１Ｇｂｐｓの上り信号のデータを処理する１Ｇ受信データ処理部１５８とを有する。そして、上位網からＯＮＵ側に送信する１０Ｇ送信データは、データ処理部１５１の１０Ｇ送受信データ処理部１５７で１０Ｇ用発振器３５５のクロック信号を用いてパラレルの送信データ３５９が作成され、１０ＧＳＥＲＤＥＳ３５２に出力される。尚、この時、パラレルの送信データ３５９の並走クロック信号１６０も１０ＧＳＥＲＤＥＳ３５２に出力される。
【００３０】
ここで、図１０の従来技術のＯＬＴ３０１の場合は、１０Ｇ用発振器３５５のクロック信号が並走クロック信号３６０として１０ＧＳＥＲＤＥＳ３５２に出力されたが、本実施形態では、１０Ｇ送受信データ処理部１５７の内部にＣＬＫ重畳部１５９を設けてあり、１０Ｇ用発振器３５５のクロック信号に１Ｇ受信データ処理部１５８を介して出力される１Ｇ用発振器３５６のクロック信号が重畳された重畳クロック信号が並走クロック信号１６０として１０ＧＳＥＲＤＥＳ３５２に出力される。従って、並走クロック信号１６０は１Ｇのクロック信号と１０Ｇのクロック信号が含まれたクロック信号である。そして、１０ＧＳＥＲＤＥＳ３５２でシリアルの１０Ｇの送信データに変換され、光トランシーバ３５３で光信号に変調されてＯＮＵ側に送信される。
【００３１】
逆に、ＯＮＵ側から送られてきた光信号は、光トランシーバ３５３で１０Ｇデータと１Ｇデータの分離が行われ、１０ＧＳＥＲＤＥＳ３５２と１ＧＳＥＲＤＥＳ３５４とにそれぞれ出力される。１０ＧＳＥＲＤＥＳ３５２は、光トランシーバ３５３から受け取ったシリアルの１０Ｇデータをパラレルの受信データ３６１に変換してデータ処理部１５１の１０Ｇ送受信データ処理部１５７に出力する。尚、この時、受信データ３６１には１０Ｇ用発振器３５５のクロック信号に同期する並走クロック信号３６２も１０Ｇ送受信データ処理部３５７に出力される。そして、１０Ｇ送受信データ処理部１５７で１０Ｇ用発振器３５５のクロック信号を用いて１０Ｇ受信データを作成し、上位網側に出力する。
【００３２】
一方、１ＧＳＥＲＤＥＳ３５４は、光トランシーバ３５３から受け取ったシリアルの１Ｇデータをパラレルの受信データ３６３に変換してデータ処理部１５１の１Ｇ受信データ処理部１５８に出力する。尚、この時、受信データ３６３には１Ｇ用発振器３５６のクロック信号に同期する並走クロック信号３６４も１Ｇ受信データ処理部３５８に出力される。そして、１Ｇ受信データ処理部３５８で１Ｇ用発振器３５６のクロック信号を用いて１Ｇ受信データを作成し、上位網側に出力する。
【００３３】
このようにして、本実施形態に係るＯＬＴ１０１は、図１０の従来のＯＬＴ３０１と同様に通信を行うことができる。ここで、ＣＬＫ重畳部１５９について図２を用いて詳しく説明する。図２は、１０Ｇ用発振器３５５の１０Ｇのクロックに１Ｇ用発振器３５６の１Ｇのクロックを重畳する方法例を示した図である。図２（ａ）は、ＣＬＫ重畳部１５９を１Ｇ周期パルス作成部２０１と論理積回路２０２とで構成する例で、１Ｇ周期パルス作成部２０１は、１Ｇクロック信号から１０Ｇクロック信号の１クロック分程度をマスクするマスク用の短いパルスを生成する。尚、このような回路は、例えば微分回路やパルス幅の時定数を持つワンショットパルス回路などで実現できる。そして、１Ｇ周期パルス作成部２０１の出力パルスと１０Ｇクロック信号との論理積を論理積回路２０２で取ることによって、１Ｇ周期で１０Ｇのパルスが周期的に現れる重畳クロック信号を得ることができる。
【００３４】
或いは、図２（ｂ）は、ＣＬＫ重畳部１５９を振幅制御部２０３で構成する例で、振幅制御部２０３は１Ｇクロック信号で１０Ｇクロック信号の振幅を変化させる。この結果、１０Ｇクロックの振幅が１Ｇ周期で変化する重畳クロック信号を得ることができる。尚、図２（ａ）および図２（ｂ）の例は、１０Ｇのクロックに１Ｇのクロックを重畳する方法の簡単な例を示したもので、これ以外の方法で実現しても構わない。
【００３５】
次に、図９のＰＯＮシステム３００の１Ｇと１０Ｇが混在するＯＮＵ−ＢおよびＯＮＵ−Ｙに対応する本実施形態のＯＮＵ１１０の構成について図３を用いて説明する。図３において、ＯＮＵ１１０は、端末側との間でデータを送受信する１０Ｇ受信データ処理部１７６および１Ｇ送信データ処理部１７７を有するデータ処理部１７１と、ＯＬＴ１０１から受信する１０Ｇｂｐｓの下り信号のデータ変換を行う１０ＧＳＥＲＤＥＳ３７２と、ＯＬＴ１０１との間で送受信する光信号と電気信号の変換および１０Ｇデータの受信データと１Ｇデータの送信データとを周波数多重する光トランシーバ３７３と、ＯＬＴ１０１側に１Ｇデータを送信する１ＧＳＥＲＤＥＳ３７４と、データ処理部１７１内に設けられＯＬＴ１０１側から送られてくる重畳クロック信号から１Ｇの送信クロックを作成するＣＬＫ抽出部１７８とで構成される。
【００３６】
そして、端末側からＯＬＴ１０１側に送信する１Ｇ送信データは、データ処理部１７１の１Ｇ送信データ処理部１７７でＣＬＫ抽出部１７８で抽出する１Ｇのクロック信号を用いてパラレルの送信データ３７８が作成され、１ＧＳＥＲＤＥＳ３７４に出力される。尚、この時、パラレルの送信データ３７８にはＣＬＫ抽出部１７８で抽出する１Ｇのクロック信号が並走クロック信号１７９として１ＧＳＥＲＤＥＳ３７４に出力される。そして、図１１のＯＮＵ３１０と同様に、１ＧＳＥＲＤＥＳ３７４でシリアルの１Ｇデータに変換され、光トランシーバ３７３で光信号に変調されてＯＬＴ１０１側に送信される。
【００３７】
逆に、ＯＬＴ１０１側から送られてきた光信号は、光トランシーバ３７３で１０Ｇデータのシリアルの電気信号に変換され、１０ＧＳＥＲＤＥＳ３７２に出力される。１０ＧＳＥＲＤＥＳ３７２は、光トランシーバ３７３から受け取ったシリアルの１０Ｇデータをパラレルの受信データ３８０に変換してデータ処理部１７１の１０Ｇ受信データ処理部１７６に出力する。尚、この時、１０ＧＳＥＲＤＥＳ３７２が１０Ｇデータから分離した重畳クロック信号が受信データ３８０の並走クロック信号１８１として１０Ｇ受信データ処理部１７６に出力される。そして、１０Ｇ受信データ処理部１７６内でループしてＣＬＫ抽出部１７８に入力される。ＣＬＫ抽出部１７８は、重畳クロック信号を出力する並走クロック信号１８１から１Ｇ送信用のクロック信号を抽出する。
【００３８】
このようにして、従来のＯＮＵ３１０と同様に、本実施形態のＯＮＵ１１０は、１Ｇと１０Ｇが混在するＰＯＮシステム３００において、ｌｏｏｐ−ｔｉｍｉｎｇの機能を実現し、ＯＬＴ１０１からＯＮＵ１１０に１０Ｇｂｐｓの下り信号を送信し、ＯＮＵ１１０からＯＬＴ１０１に１Ｇｂｐｓの上り信号を送信することができる。特に、図１１に示した従来のＯＮＵ３１０とは異なり、本実施形態のＯＮＵ１１０は高価なＣＬＫモジュール３７５を必要としない。ここで、ＣＬＫ抽出部１７８について図４を用いて詳しく説明する。図４は、ＯＬＴ１０１側から送られてくる重畳クロック信号から１Ｇのクロックを抽出する方法例を示した図である。図４は、ＣＬＫ抽出部１７８をフィルタ２１０と１Ｇ用ＰＬＬ２１１と１０Ｇ用ＰＬＬ２１２とで構成する例で、図２で説明したような重畳クロック信号をフィルタ２１０に入力して、１ＧＨｚ成分と１０ＧＨｚ成分とに分離する。尚、フィルタ２１０は、５ＧＨｚ辺りをカットオフとするローパスフィルタとハイパスフィルタで構成しても構わないし、１ＧＨｚおよび１０ＧＨｚを中心とするバンドパスフィルタで構成しても構わない。そして、フィルタ２１０が出力する１ＧＨｚ成分の信号を参照信号として１Ｇ用ＰＬＬ２１１でＰＬＬ処理して１Ｇのクロック信号を得ることができる。同様に、フィルタ２１０が出力する１０ＧＨｚ成分の信号を参照信号として１０Ｇ用ＰＬＬ２１２でＰＬＬ処理して１０Ｇのクロック信号を得ることができる。尚、図４の例は、重畳クロック信号を１０Ｇクロックと１Ｇクロックに分離する方法の簡単な例を示したもので、これ以外の方法で実現しても構わない。
【００３９】
このように、本実施形態に係るＰＯＮシステム３００および局側装置のＯＬＴ１０１並びに宅内装置のＯＮＵ１１０は、高価なＣＬＫモジュール３７５を使用する必要がなくなる。また、本実施形態では、ＯＬＴ１０１のＣＬＫ重畳部１５９で１０Ｇクロック信号と１Ｇクロック信号とを重畳した重畳クロック信号を作成してＯＮＵ１１０に伝送し、ＯＮＵ１１０側のＣＬＫ抽出部１７８でＯＬＴ１０１から送られてきた重畳クロック信号から１０Ｇクロック信号および１Ｇクロック信号を抽出することができるので、１Ｇｂｐｓと１０Ｇｂｐｓの異なる速度のＯＮＵが混在するＰＯＮシステム３００やＯＮＵ１１０を安価に実現することができる。特に、１台のＯＬＴに対して数十台にも及ぶ複数台のＯＮＵを使用するＰＯＮシステムの場合は大幅なコスト削減を図ることができ、さらに複雑な回路のＣＬＫモジュール３７５の部品点数も削減でき、製造歩留まりの向上や環境評価も良くすることができる。
【００４０】
（第２の実施形態）
次に、第２の実施形態について説明する。尚、本実施形態では、第１の実施形態のＯＬＴ側の構成のみが異なり、対向するＯＮＵ１１０およびＰＯＮシステム３００の構成は同じである。ここでは、第１の実施形態においてＯＬＴ１０１に代わるＯＬＴ１０１ａについて説明する。図５は、ＯＬＴ１０１ａの構成を示すブロック図で、例えば図９のＯＬＴ−Ａに対応する。尚、図１０および図１と同符号のものは同じものを示す。
【００４１】
図５において、ＯＬＴ１０１ａは、第１の実施形態で説明した図１のＯＬＴ１０１に対して、ＣＬＫ重畳部１５９の位置が異なる。ＯＬＴ１０１では、ＣＬＫ重畳部１５９はデータ処理部１５１の１０Ｇ送受信データ処理部１５７の中に配置されていた。これに対して、本実施形態のＯＬＴ１０１ａはデータ処理部３５１の１０Ｇ送受信データ処理部３５７の構成は図１０の従来の場合と同じで、第１の実施形態のＣＬＫ重畳部１５９に相当するＣＬＫ重畳部１５９ａはデータ処理部３５１と１０ＧＳＥＲＤＥＳ３５２との間に配置されている。
【００４２】
ＣＬＫ重畳部１５９ａは、第１の実施形態の図２で説明したＣＬＫ重畳部１５９と同様に構成され、１０Ｇ用発振器３５５が出力する１０Ｇのクロックに１Ｇ用発振器３５６が出力する１Ｇのクロックを重畳する。そして、ＣＬＫ重畳部１５９ａは、１０Ｇ送受信データ処理部３５７が出力するパラレルの送信データ３５９の並走クロック信号３６０に代えて、重畳クロック信号１６０ａを１０ＧＳＥＲＤＥＳ３５２に出力する。そして、並走クロック信号１６０ａと送信データ３５９は、１０ＧＳＥＲＤＥＳ３５２でシリアルの１０Ｇの送信データに変換され、光トランシーバ３５３で光信号に変調されてＯＮＵ側に送信される。
【００４３】
尚、ＯＬＴ１０１ａにおいて、データ処理部３５１と、１０ＧＳＥＲＤＥＳ３５２と、光トランシーバ３５３と、１ＧＳＥＲＤＥＳ３５４と、１０Ｇ用発振器３５５と、１Ｇ用発振器３５６とは、従来の技術で説明したＯＬＴ３０１と同じなので重複する説明は省略する。
【００４４】
このように、ＯＬＴ１０１ａは、第１の実施形態で説明したＯＬＴ１０１と同様に、１０Ｇのクロックに１Ｇのクロックを重畳して送信するので、第１の実施形態のＯＮＵ１１０は、高価なＣＬＫモジュール３７５を使用する必要がない。この結果、１Ｇｂｐｓと１０Ｇｂｐｓの異なる速度のＯＮＵが混在するＰＯＮシステム３００やＯＮＵ１１０を安価に実現することができる。特に、１台のＯＬＴに対して数十台にも及ぶ複数台のＯＮＵを使用するＰＯＮシステムの場合は大幅なコスト削減を図ることができ、さらに複雑な回路のＣＬＫモジュール３７５の部品点数も削減でき、製造歩留まりの向上や環境評価も良くすることができる。
【００４５】
（第３の実施形態）
次に、第３の実施形態について説明する。尚、本実施形態では、第１の実施形態および第２の実施形態のＯＬＴ側の構成のみが異なり、対向するＯＮＵ１１０およびＰＯＮシステム３００の構成は同じである。図６は、本実施形態におけるＯＬＴ１０１ｂの構成を示すブロック図で、例えば図９のＰＯＮシステム３００のＯＬＴ−Ａに対応する。尚、図１０，図１および図５と同符号のものは同じものを示す。
【００４６】
図６において、ＯＬＴ１０１ｂは、第２の実施形態で説明した図５のＯＬＴ１０１ａに対してＣＬＫ重畳部１５９ａの位置が異なる。ＯＬＴ１０ａ１では、ＣＬＫ重畳部１５９はデータ処理部３５１と１０ＧＳＥＲＤＥＳ３５２との間に配置されていた。これに対して、本実施形態のＯＬＴ１０１ｂでは、第２の実施形態のＣＬＫ重畳部１５９ａに相当するＣＬＫ重畳部１５９ｂは１０ＧＳＥＲＤＥＳ１５２の内部に配置されている。尚、１０ＧＳＥＲＤＥＳ１５２は、ＣＬＫ重畳部１５９ｂを内部に有する以外は１０ＧＳＥＲＤＥＳ３５２と同様に動作する。
【００４７】
ＣＬＫ重畳部１５９ｂは、第１の実施形態の図２で説明したＣＬＫ重畳部１５９と同様に構成され、１０Ｇ用発振器３５５が出力する１０Ｇのクロックに１Ｇ用発振器３５６が出力する１Ｇのクロックを重畳する。そして、ＣＬＫ重畳部１５９ｂは、１０Ｇ送受信データ処理部３５７が出力するパラレルの送信データ３５９の並走クロック信号３６０に代えて、ＣＬＫ重畳部１５９ｂが重畳した重畳クロック信号と送信データ３５９とをシリアルの１０Ｇの送信データに変換し、さらに光トランシーバ３５３で光信号に変調してＯＮＵ側に送信する。
【００４８】
尚、ＯＬＴ１０１ｂにおいて、データ処理部３５１と、光トランシーバ３５３と、１ＧＳＥＲＤＥＳ３５４と、１０Ｇ用発振器３５５と、１Ｇ用発振器３５６とは、従来の技術で説明したＯＬＴ３０１と同じなので重複する説明は省略する。
【００４９】
このように、ＯＬＴ１０１ｂは、第１の実施形態で説明したＯＬＴ１０１や第２の実施形態で説明したＯＬＴ１０１ａと同様に、１０Ｇのクロックに１Ｇのクロックを重畳して送信するので、対向するＯＮＵ１１０は高価なＣＬＫモジュール３７５を使用する必要がない。この結果、１Ｇｂｐｓと１０Ｇｂｐｓの異なる速度のＯＮＵが混在するＰＯＮシステム３００やＯＮＵ１１０を安価に実現することができる。特に、１台のＯＬＴに対して数十台にも及ぶ複数台のＯＮＵを使用するＰＯＮシステムの場合は大幅なコスト削減を図ることができ、さらに複雑な回路のＣＬＫモジュール３７５の部品点数も削減でき、製造歩留まりの向上や環境評価も良くすることができる。
【００５０】
（第４の実施形態）
次に、第４の実施形態について説明する。尚、本実施形態では、第１の実施形態のＯＮＵ側の構成のみが異なり、対向するＯＬＴ１０１およびＰＯＮシステム３００の構成は同じである。ここでは、第１の実施形態においてＯＮＵ１１０に代わるＯＮＵ１１０ａについて説明する。図７は、ＯＮＵ１１０ａの構成を示すブロック図で、例えば図９に示した送受信の通信速度が異なるＯＮＵ−ＢやＯＮＵ−Ｙに対応する。尚、図１１および図３と同符号のものは同じものを示す。
【００５１】
図７において、ＯＮＵ１１０ａは、第１の実施形態で説明した図３のＯＮＵ１１０に対して、ＣＬＫ抽出部１７８に入力する重畳クロック信号の取り出し位置が異なる。ＯＮＵ１１０では、ＣＬＫ抽出部１７８はデータ処理部１７１の１０Ｇ受信データ処理部１７６から重畳クロック信号を取り出していたが、本実施形態のＯＮＵ１１０ａでは１０ＧＳＥＲＤＥＳ３７２から取り出すようになっている。
【００５２】
ＣＬＫ抽出部１７８ａは、第１の実施形態の図３で説明したＣＬＫ抽出部１７８と同様に構成され、１０Ｇのクロックに１Ｇのクロックが重畳された重畳クロック信号から１Ｇのクロックを抽出して、１Ｇ送信データ処理部１７７に出力し、１Ｇ送信データ処理部１７７が出力するパラレルの送信データ３７８の並走クロック信号３７９として１Ｇのクロックが１ＧＳＥＲＤＥＳ３７４に出力される。そして、並走クロック信号３７９と送信データ３７８は、１ＧＳＥＲＤＥＳ３７４でシリアルの１Ｇの送信データに変換され、光トランシーバ３７３で光信号に変調されてＯＬＴ側に送信される。
【００５３】
尚、ＯＮＵ１１０ａにおいて、１０ＧＳＥＲＤＥＳ３７２と、光トランシーバ３７３と、１ＧＳＥＲＤＥＳ３７４とは、従来の技術で説明したＯＬＴ３０１と同じなので重複する説明は省略する。
【００５４】
このように、ＯＮＵ１１０ａは、第１の実施形態で説明したＯＮＵ１１０と同様に、１０Ｇのクロックに１Ｇのクロックが重畳された重畳クロック信号から１Ｇのクロックを抽出するので、ＯＮＵ１１０ａは、高価なＣＬＫモジュール３７５を使用する必要がない。この結果、１Ｇｂｐｓと１０Ｇｂｐｓの異なる速度のＯＮＵが混在するＰＯＮシステム３００やＯＮＵ１１０ａを安価に実現することができる。特に、１台のＯＬＴに対して数十台にも及ぶ複数台のＯＮＵを使用するＰＯＮシステムの場合は大幅なコスト削減を図ることができ、さらに複雑な回路のＣＬＫモジュール３７５の部品点数も削減でき、製造歩留まりの向上や環境評価も良くすることができる。
【００５５】
（第５の実施形態）
次に、第５の実施形態について説明する。尚、本実施形態では、第１の実施形態および第４の実施形態のＯＮＵ側の構成のみが異なり、対向するＯＬＴ１０１およびＰＯＮシステム３００の構成は同じである。ここでは、第１の実施形態および第４の実施形態のＯＮＵ１１０およびＯＮＵ１１０ａに代わるＯＮＵ１１０ｂについて説明する。図８は、ＯＮＵ１１０ｂの構成を示すブロック図で、例えば図９に示した送受信の通信速度が異なるＯＮＵ−ＢやＯＮＵ−Ｙに対応する。尚、図１１，図３および図７と同符号のものは同じものを示す。
【００５６】
図８において、ＯＮＵ１１０ｂは、第１の実施形態で説明した図３のＯＮＵ１１０や第４の実施形態で説明した図７のＯＮＵ１１０ａに対して、ＣＬＫ抽出部１７８やＣＬＫ抽出部１７８ａの配置が異なる。ＯＮＵ１１０およびＯＮＵ１１０ａでは、ＣＬＫ抽出部１７８およびＣＬＫ抽出部１７８ａはデータ処理部１７１の１０Ｇ受信データ処理部１７６と１Ｇ送信データ処理部１７７との間に配置されていたが、本実施形態のＯＮＵ１１０ｂはＣＬＫ抽出部１７８ｂが１０ＧＳＥＲＤＥＳ１７２の内部に配置されている。尚、１０ＧＳＥＲＤＥＳ１７２は、ＣＬＫ抽出部１７８ｂ以外はＯＮＵ１１０およびＯＮＵ１１０ａのＳＥＲＤＥＳ３７２と同様に動作する。
【００５７】
ＣＬＫ抽出部１７８ｂは、第１の実施形態の図３で説明したＣＬＫ抽出部１７８と同様に構成され、１０Ｇのクロックに１Ｇのクロックが重畳された重畳クロック信号から１Ｇのクロックを抽出する。そして、１Ｇのクロックはデータ処理部１７１ｂの１Ｇ送信データ処理部１７７ｂおよび１ＧＳＥＲＤＥＳ３７４に出力する。そして、１Ｇ送信データ処理部１７７ｂが出力するパラレルの送信データ３７８の並走クロック信号３７９として１Ｇのクロックが１ＧＳＥＲＤＥＳ３７４に出力される。そして、並走クロック信号３７９と送信データ３７８は、１ＧＳＥＲＤＥＳ３７４でシリアルの１Ｇの送信データに変換され、光トランシーバ３７３で光信号に変調されてＯＬＴ側に送信される。
【００５８】
一方、１０ＧＳＥＲＤＥＳ１７２は、図１１および図３の１０ＧＳＥＲＤＥＳ３７２と同様に、光トランシーバ３７３から受け取ったシリアルの１０Ｇデータをパラレルの受信データ３８０に変換してデータ処理部３７１の１０Ｇ受信データ処理部３７６に出力する。尚、この時、１０ＧＳＥＲＤＥＳ１７２内のＣＬＫ抽出部１７８ｂは、１０Ｇデータの重畳クロック信号から分離した１０Ｇのクロック信号を受信データ３８０の並走クロック信号３８１として１０Ｇ受信データ処理部１７６ｂに出力する。尚、１０Ｇ受信データ処理部１７６ｂは、図１１の１０Ｇ受信データ処理部３７６がＣＬＫモジュール３７５に１０Ｇのクロックを出力する動作以外は、１０Ｇ受信データ処理部３７６と同様に動作する。
【００５９】
尚、ＯＮＵ１１０ｂにおいて、光トランシーバ３７３と、１ＧＳＥＲＤＥＳ３７４とは、従来の技術で説明したＯＬＴ３０１と同じなので重複する説明は省略する。
【００６０】
このように、ＯＮＵ１１０ｂは、第１の実施形態で説明したＯＮＵ１１０および第４の実施形態で説明したＯＮＵ１１０ａと同様に、１０Ｇのクロックに１Ｇのクロックが重畳された重畳クロック信号から１Ｇのクロックを抽出するので、ＯＮＵ１１０ｂは、高価なＣＬＫモジュール３７５を使用する必要がない。この結果、１Ｇｂｐｓと１０Ｇｂｐｓの異なる速度のＯＮＵが混在するＰＯＮシステム３００やＯＮＵ１１０ａを安価に実現することができる。特に、１台のＯＬＴに対して数十台にも及ぶ複数台のＯＮＵを使用するＰＯＮシステムの場合は大幅なコスト削減を図ることができ、さらに複雑な回路のＣＬＫモジュール３７５の部品点数も削減でき、製造歩留まりの向上や環境評価も良くすることができる。
【００６１】
以上、各実施形態で説明してきたように、本発明に係るＰＯＮシステムおよび局側装置並びに宅内装置は、高価なＣＬＫモジュールを使用することなく、下り信号のクロックから速度の異なる上り信号のクロックを生成することができる。
【符号の説明】
【００６２】
１０１，１０１ａ，１０１ｂ，３０１・・・ＯＬＴ
１１０，１１０ａ，１１０ｂ，３１０・・・ＯＮＵ
１５１，３５１・・・データ処理部
１５２・・・１０ＧＳＥＲＤＥＳ
１５７・・・１０Ｇ送受信データ処理部
１５８・・・１Ｇ受信データ処理部
１５９，１５９ａ，１５９ｂ・・・ＣＬＫ重畳部
１６０，１７９，１８１・・・並走クロック信号
１６０ａ・・・重畳クロック信号
１７１，１７１ｂ，３７１・・・データ処理部
１７２・・・１０ＧＳＥＲＤＥＳ
１７６，１７６ｂ，３７６・・・１０Ｇ受信データ処理部
１７７，１７７ｂ，３７７・・・１Ｇ送信データ処理部
１７８，１７８ａ，１７８ｂ・・・ＣＬＫ抽出部
２０１・・・１Ｇ周期パルス作成部
２０２・・・論理積回路
２０３・・・振幅制御部
２１０・・・フィルタ
２１１・・・１Ｇ用ＰＬＬ
２１２・・・１０Ｇ用ＰＬＬ
３００・・・ＥＰＯＮシステム
３０２・・・光カプラ
３５２，３７２・・・１０ＧＳＥＲＤＥＳ
３５３，３７３・・・光トランシーバ
３５４，３７４・・・１ＧＳＥＲＤＥＳ
３５５・・・１０Ｇ用発振器
３５６・・・１Ｇ用発振器
３５７・・・１０Ｇ送受信データ処理部
３５８・・・１Ｇ受信データ処理部
３５９，３７８・・・パラレルの送信データ
３６０，３６２，３６４，３７９，３８１・・・並走クロック信号
３６１，３６３，３８０・・・パラレルの受信データ
３７５・・・ＣＬＫモジュール
【図１】
2010212971.tif 000003
【図２】
2010212971.tif 000004
【図３】
2010212971.tif 000005
【図４】
2010212971.tif 000006
【図５】
2010212971.tif 000007
【図６】
2010212971.tif 000008
【図７】
2010212971.tif 000009
【図８】
2010212971.tif 000010
【図９】
2010212971.tif 000011
【図１０】
2010212971.tif 000012
【図１１】
2010212971.tif 000013